(57)【要約】      （修正有）【課題】液体ポンプにおいて、液体に混入した異物によりインペラが回転しなくなるような不具合がないように構成する。【解決手段】ステータユニット３と、インペラ部６と磁極部７とが一体的に構成されたロータユニット５とを、ステータユニット３を収容するステータ収容部ＳＨとロータユニット５を収容するロータ収容部ＲＨとが筒状の小径筒部２ａを備えた隔壁Ｄにより仕切り形成されたハウジング２に収容し、前記ロータ収容部ＲＨをカバー体９により覆蓋してポンプ室が形成された液体ポンプ１において、ポンプ室に、ロータ収容部ＲＨと磁極部７の磁極本体部７ｂとのあいだに異物が詰まるのを防止する異物詰まり防止手段を設ける構成とする。【選択図】図２
2012145033.tif 000002
【特許請求の範囲】
【請求項１】
複数枚のコア材を積層してなるステータコアにコイルが巻装されたステータユニットと、羽根体を備えたインペラ部が先端側に形成され、周回り方向複数対の磁極で構成される円筒状の磁極本体部を備えた磁極部が基端側に形成されたロータユニットとを、ステータユニットを収容するステータ収容部とロータユニットを収容するロータ収容部とが筒状部を備えた隔壁により仕切り形成されたハウジングに収容し、前記ロータ収容部をカバー体により覆蓋してポンプ室が形成された液体ポンプにおいて、ポンプ室には、ロータ収容部と磁極本体部とのあいだに異物が詰まるのを防止する異物詰まり防止手段が設けられていることを特徴とする液体ポンプ。
【請求項２】
ロータ収容部は、ステータ収容部の外径側に設けられ、隔壁と該隔壁を構成する筒状部の外径側に配される大径筒部とによりリング筒状に形成される一方、ロータユニットのインペラ部の外径は、磁極部の外径より大径に形成されるものとし、異物詰まり防止手段は、インペラ部と大径筒部との対向間隔を、磁極本体部と隔壁との対向間隔より小さく設定することにより構成したことを特徴とする請求項１に記載の液体ポンプ。
【請求項３】
インペラ部は、円板形状のベース片を備えて構成されるものとし、インペラ部と大径筒部との対向間隔は、ベース片の外周面と大径筒部との対向間隔により設定されていることを特徴とする請求項２に記載の液体ポンプ。
【請求項４】
異物詰まり防止手段は、ロータ収容部を構成する隔壁と大径筒部とのコーナー部に、基端側に向けて凹設された異物トラップ用凹部を設けることにより構成したことを特徴とする請求項２または３に記載の液体ポンプ。
【請求項５】
異物詰まり防止手段は、ポンプ室の吸入口内壁に沿って磁性材を設けることにより構成したことを特徴とする請求項１乃至４の何れか１項に記載の液体ポンプ。
【発明の詳細な説明】
【技術分野】
【０００１】
本発明は、車両に搭載される冷却装置に冷却液を循環させる場合等に用いられる液体ポンプの技術分野に関するものである。
【背景技術】
【０００２】
一般に、電気自動車やハイブリッド式の車両においては、駆動用モータやモータ制御用のコントロールユニットを冷却するための冷却手段の構成部材として、電動式の液体ポンプが多用されている。このような液体ポンプとしては、複数枚のコア材を積層してなるステータコアにコイルが巻装されたステータユニットと、羽根体を備えたインペラ部が先端部に形成され、周回り方向複数対の磁極で構成される円筒状の磁極本体部を備えた磁極部が基端部に形成されたロータユニットとを、筒状部を備えた隔壁によりステータユニットを収容するステータ収容部とロータユニットを収容するロータ収容部とが仕切り形成されたハウジングに収容し、前記ロータ収容部をカバー体により覆蓋してロータ収容部がポンプ室となるように構成されたものが提唱されている。
【先行技術文献】
【特許文献】
【０００３】
【特許文献１】特開２００１−３０４１６５号公報
【発明の概要】
【発明が解決しようとする課題】
【０００４】
前記特許文献１の液体ポンプは、ポンプ室内のロータユニットが回転することにより、液体がカバー体の先端部に形成された吸入口からポンプ室内に流入し、カバー体の筒状の外周面に形成された排出口から排出する構成であるが、この場合に、ポンプ室内に流入した液体は、インペラ部の羽根体に押しやられて排出口に至る流路を経由するばかりではなく、ハウジングのロータ収容部側を含むポンプ室内を循環する流路を経由するものもある。前記ポンプ室内を循環する循環流路のなかには、インペラ部の外径側端面とロータ収容部（ハウジングの大径筒部内周面）とのあいだに形成される流路に沿ってロータ収容部側に流入し、磁極本体部の外周面とロータ収容部を構成する大径筒部とのあいだに形成される流路に沿ってロータ収容部の基端側に達し、磁極本体部の基端面、内周面と隔壁とのあいだに形成される流路に沿って先端側に至り、ロータユニットを軸芯方向に貫通するバランスホールを通過してインペラの先端面側に至る流路がある。
一方、ロータユニットの磁極本体部の内周面は、ステータユニット外周面に対してロータ収容部の隔壁を介して対向しており、磁極本体部の内周面とステータユニット外周面との対向間隔は、モータ特性を向上させるため近接状とすることが要求され、磁極本体部の内周面と隔壁との対向間隔はできるだけ小さく設定されている。また、液体ポンプをブラシレスモータとした場合、ロータユニットの磁極本体部の磁極変化を検知する磁極検知センサが隔壁を介して磁極本体部の基端面に対向して配設されることになるが、磁極本体部の基端面と磁極検知センサとの対向間隔は、検知精度を向上させるため近接状とすることが要求され、磁極本体部の基端面と隔壁との対向間隔はできるだけ小さく設定されている。このため、ロータ収容部内を循環する流路のうち、磁極本体部の内周面と隔壁との対向間隔、及び、磁極部の基端面と隔壁との対向間隔を流路幅とする流路は、他の部位の流路よりも流路幅が幅狭状となっている。
ところで、液体ポンプを冷却装置に冷却水を循環させる部材として用いた場合では、液体に異物（例えば鋳砂）が混入することがある。このように異物を含む液体がポンプ室内を循環し、前記幅狭状態となった流路を経由する場合、異物の大きさによっては幅狭状流路の手前側（磁極本体部の外周面とロータ収容部を構成する大径筒部との対向間の基端側部位）に引っ掛かることがあり、このようになると、異物がポンプ室から排出されず、ポンプ室内の液体の循環を損なうばかりでなく、磁極本体部と大径筒部とのあいだに異物が堆積してロータユニットの回転を損なってポンプ性能を低下させ、最悪、流路を詰まり状態としてロータユニットを不作動にする惧れがあって問題がある。しかるに、従来、ポンプ室内に侵入する異物に対する配慮、対策が何ら考慮されておらず、ここに本発明の解決すべき課題がある。
【課題を解決するための手段】
【０００５】
本発明は、上記の如き実情に鑑みこれらの課題を解決することを目的として創作されたものであって、請求項１の発明は、複数枚のコア材を積層してなるステータコアにコイルが巻装されたステータユニットと、羽根体を備えたインペラ部が先端側に形成され、周回り方向複数対の磁極で構成される円筒状の磁極本体部を備えた磁極部が基端側に形成されたロータユニットとを、ステータユニットを収容するステータ収容部とロータユニットを収容するロータ収容部とが筒状部を備えた隔壁により仕切り形成されたハウジングに収容し、前記ロータ収容部をカバー体により覆蓋してポンプ室が形成された液体ポンプにおいて、ポンプ室には、ロータ収容部と磁極本体部とのあいだに異物が詰まるのを防止する異物詰まり防止手段が設けられていることを特徴とする液体ポンプである。
請求項２の発明において、ロータ収容部は、ステータ収容部の外径側に設けられ、隔壁と該隔壁を構成する筒状部の外径側に配される大径筒部とによりリング筒状に形成される一方、ロータユニットのインペラ部の外径は、磁極部の外径より大径に形成されるものとし、異物詰まり防止手段は、インペラ部と大径筒部との対向間隔を、磁極本体部と隔壁との対向間隔より小さく設定することにより構成したことを特徴とする請求項１に記載の液体ポンプである。
請求項３の発明において、インペラ部は、円板形状のベース片を備えて構成されるものとし、インペラ部と大径筒部との対向間隔は、ベース片の外周面と大径筒部との対向間隔により設定されていることを特徴とする請求項２に記載の液体ポンプである。
請求項４の発明において、異物詰まり防止手段は、ロータ収容部を構成する隔壁と大径筒部とのコーナー部に、基端側に向けて凹設された異物トラップ用凹部を設けることにより構成したことを特徴とする請求項２または３に記載の液体ポンプである。
請求項５の発明において、異物詰まり防止手段は、ポンプ室の吸入口内壁に沿って磁性材を設けることにより構成したことを特徴とする請求項１乃至４の何れか１項に記載の液体ポンプである。
【発明の効果】
【０００６】
請求項１の発明とすることにより、ロータユニットの回転が損なわれてポンプ性能が低下したり、ロータユニットが不作動になるような不具合のない信頼性の高い液体ポンプを提供できる。
請求項２の発明とすることにより、ロータ収容部ＲＨ側に磁極本体部の内周面と隔壁との対向間隔、および、磁極本体部の基端面と隔壁との対向間隔より大きい外径を有した異物が侵入することがなく、異物詰まりの発生を防止することができる。
請求項３の発明とすることにより、ポンプ室ＰＲ内において最小の流路幅となる部位の手前側に広いスペースが確保されるうえ、最小の流路幅の流路長を短くすることができて異物詰まりを防止できる。
請求項４の発明とすることにより、異物を流路幅の狭い流路の手前側において捕捉することができて、異物詰まりを防止できる。
請求項５の発明とすることにより、磁性の異物を捕捉できて、異物詰まりを防止できる。
【図面の簡単な説明】
【０００７】
【図１】図１（Ａ）、（Ｂ）はそれぞれ液体ポンプの正面図、平面図である。
【図２】液体ポンプの正面断面図である。
【図３】図３（Ａ）、（Ｂ）、（Ｃ）はそれぞれロータユニットの平面図、正面図、底面図である。
【発明を実施するための形態】
【０００８】
以下、本発明の実施の形態について、図面に基づいて説明する。
１はラジエータ等の冷却装置に冷却水（液体）を循環させるために用いられる液体ポンプであって、該液体ポンプ１の基端側半部（図１（Ａ）、図２において下半部)はハウジング２に収容されている。前記ハウジング２は、図２に示すように、小径筒部２ａ（本発明の筒状部に相当する）と、該小径筒部２ａと同芯状に形成され、小径筒部２ａの外径側を覆う大径筒部２ｂとを備えて構成されている。そして、小径筒部２ａは、該小径筒部２ａの先端部（上端部）に一体形成される底片部２ｃとともに、下方が開口する有底筒状の空間を形成しており、該空間がステータ収容部ＳＨに構成されている。一方、大径筒部２ｂは、小径筒部２ａと、該小径筒部２ａと大径筒部２ｂとの下端縁同士を連結するように一体形成されるリング状の連結片部２ｄとともに、連結片部２ｄを底片とし上方が開口する有底リング筒状の空間を形成しており、該空間がロータ収容部ＲＨに構成されている。そして、ハウジング２は連結片部２ｄから小径筒部２ａ、底片部２ｃに至る部位が本発明の隔壁Ｄに相当しており、該筒状部（小径筒部２ａ）を備えた隔壁Ｄは、内径側に形成されるステータ収容部ＳＨと外径側に形成されるロータ収容部ＲＨとを径方向に対向する状態で仕切る（区切る）ように構成されている。
【０００９】
さらに、ハウジング２は、大径筒部２ｂの下端部外周面から外径方向に延出するベース片部２ｅが一体形成されており、該ベース片部２ｅの外周回り三箇所に固定片２ｆが形成されており、該固定片２ｆを介して液体ポンプ１が冷却装置近傍に固定されるが、固定片２ｆには防振部材２ｇが介装されるように構成されている。また、ハウジング２のベース片部２ｅには、下方に向けて突出形成される支持片部２ｈが形成されており、ベース片部２ｅは、支持片部２ｈとともに下方が開口する空間である制御装置収容部ＣＨを構成している。また、大径筒部２ｂの上端部には、外径側に延出するフランジ片部２ｉが一体形成されている。
一方、ハウジング２の底片部２ｃは、内径側に下方に陥没する凹陥状部２ｊが形成されており、該凹陥状部２ｊには下方に向けて突出する支柱部２ｋが一体形成されている。前記支柱部２ｋは、小径筒部２ａ、大径筒部２ｂと同芯状であって、底片部２ｃと小径筒部２ａとで構成されるステータ収容部ＳＨの軸芯部に構成されている。
【００１０】
そして、ハウジング２の隔壁Ｄの基端側（下方部位）となる内径側のステータ収容部ＳＨ（小径筒部２ａ内）に、ブラシレスモータの構成部材であるステータユニット３が内装されるが、前記ステータユニット３は、鉄製の板材によりリング状円板形状に形成された複数枚のコア材３ａを上下方向に積層して構成されるステータコア３ｂを備えて構成されている。前記ステータコア３ｂの外周には、周回り方向に隣接して形成される複数のティースにより上下方向に長いスロット（図示せず）が周回り方向に複数形成され、これら複数のティースにインシュレータ３ｃを装着して巻線を巻装することにより、周回り方向に複数のコイル３ｄが形成されたステータユニット３に構成されている。そして、ステータユニット３は、ステータコア３ｂの軸芯部に形成される貫通孔３ｅをハウジング２の支柱部２ｋに外嵌することによりステータ収容部ＳＨに固定されており、該固定状態において、小径筒部２ａ内周面とステータユニット３外周面とが近接対向するように構成されている。
【００１１】
一方、ハウジング２の底片部２ｃの軸芯部位となる支柱部２ｋには、ロータ軸４の基端部（下端部）が埋設される状態で固定されている。これによって、ロータ軸４は、先端部４ａ（上端部）が底片部２ｃから上方に向けて突出して、隔壁Ｄの先端側（上方部位）に位置するように構成されている。
尚、本実施の形態では、ハウジング２は樹脂材を型成形により形成されるものとなっており、予め、ハウジング２にステータユニット３およびロータ軸４がインサートモールドされるように構成されている。
【００１２】
そして、前記ロータ軸４の底片部２ｃから上方に突出する上端部に、ブラシレスモータの構成部材であるロータユニット５が回転自在に外嵌支持されるように構成されており、これによって、ロータユニット５はハウジング２のロータ収容部ＲＨにおいて回転するように構成されている。
前記ロータユニット５は、先端側（上端側）のインペラ部６と、基端側（下端側）の磁極部７とを備えて構成されている。前記インペラ部６は樹脂材により、円板形状のベース片６ａと該ベース片６ａの上面から上方に突出する周回り方向複数の羽根体６ｂとを備えて形成されている。さらに、ベース片６ａの軸芯部には、上下方向に突出するボス筒部６ｃが形成されている。一方、磁極部７は磁性粉を含有する樹脂材（例えばフェライトボンド等）により、円板形状の底片部７ａと該底片部７ａの外周縁部から下方に延出する筒状の磁極本体部７ｂとを備えて形成されている。前記磁極部７（底片部７ａおよび磁極本体部７ｂ）の外径は、インペラ部６のベース片６ａの外径よりも小径となるように形成されている。そして、軸芯部に開設された貫通孔７ｃをインペラ部６のボス部６ｃに外嵌させ、ベース片６ａ下面に底片部７ａを積層状に一体化することにより、インペラ部６と磁極部７とが一体化するように構成されている。尚、磁極本体部７ｂは、インペラ部６と磁極部７とを一体的に成形後（ロータユニット５成形後）、着磁されることにより周回り方向複数対の磁極が形成されている。
また、ロータユニット５は、ベース片６ａと底片部７ａとの積層部位を上下方向に貫通するバランスホール５ａが周回り方向に複数（本実施の形態では三個）形成されている。
【００１３】
そして、ロータユニット５は、下端部がハウジング２に支持され、隔壁Ｄの上方に突出するロータ軸４に対し、インペラ部６のボス筒部６ｃを外嵌せしめることによりロータ軸４に回転自在に外嵌支持されるが、このとき、ロータ軸４はボス筒部６ｃを貫通して先端部４ａがボス筒部６ｃから突出するように構成されている。
このようにロータユニット５がロータ軸４に支持されたロータユニット５の組込み状態において、磁極部７は、磁極本体部７ｂの内周面とロータ収容部ＲＨ（ハウジング２）を構成する隔壁Ｄ（小径筒部２ａ）とが近接対向するよう、磁極本体部７ｂの内周面と小径筒部２ａとの対向間隔Ｈ１が小さく設定されており、これによって、隔壁Ｄを介して磁極本体部７ｂ内周面とステータユニット３のステータコア３ｂ外周面とが径方向に近接対向し、モータ特性の向上が図られたモータ部となるように構成されている。
【００１４】
さらに、前記ロータユニット５の組込み状態において、磁極部７は、磁極本体部７ｂの下端面とロータ収容部ＲＨ（ハウジング２）を構成する隔壁Ｄ（連結片部２ｄ）とが近接対向するよう、磁極本体部７ｂの基端面と連結片部２ｄとの対向間隔Ｈ２が小さく設定されており、磁極本体部７ｂがベース片部２ｅの下方に形成される制御装置収容室ＣＨに近接状となっている。これによって、制御装置収容室ＣＨに、ブラシレスモータの制御回路とともに設けられる基板８に配設される磁極検知センサ８ａが磁極本体部７ｂの下端面に近接対向して、精度のよい検知ができるように構成されている。
【００１５】
また、ロータユニット５の最大外径となるベース片６ｃの外周面は、ロータ収容部ＲＨ（大径筒部２ｂ内周面）に対し対向間隔Ｈ３を存して近接対向状に配されているが、該対向間隔Ｈ３は、流体摩擦損失が大きくならない程度の小さい値に設定されていて、後述するように、前記対向間隔Ｈ１、Ｈ２よりも小さく設定されている。そして、ベース片６ｃの基端側の磁極本体部７ｂはベース片６ｃよりも小径に設定され、磁極本体部７ｂの外周面と大径筒部２ｂとの対向間隔Ｈ４は、前記各対向間隔Ｈ１、Ｈ２、Ｈ３より大きく設定されている。
さらに、前記ロータユニット５の組込み状態において、ロータユニット５のインペラ部６は、ボス筒部６ｃの下端部と隔壁Ｄ（ハウジング２）の凹陥状部２ｊとのあいだに隙間が形成されるように配設されている。
【００１６】
９は隔壁Ｄの先端側（上方部位）となるロータ収容部ＲＨを覆うカバー体であって、該カバー体９は樹脂材により、ハウジング２の大径筒部２ｂと略同径となる筒部９ａと、上方に向けて突出するよう傾斜する傾斜状底片９ｂとを備えて下方が開口する有底筒形状に形成されている。前記筒部９ａには、下端縁である開口端縁から外径側に延出し、ハウジング２のフランジ部２ｉに固定される取付け片部９ｃが一体形成されているとともに、外周面から水平方向に突出し、筒部９ａ内に連通する細筒状の吐出口９ｄが形成されている。一方、傾斜状底片９ｂの軸芯部には上方に突出し、筒部９ａ内に連通する細筒状の吸入口９ｅが形成されている。さらに、吸入口９ｅ下端部の筒内には、周回り方向三箇所から下方に向けて突出するリブ９ｆが複数（本実施の形態では三個）形成されており、これらリブ９ｆに支持される状態でロータ軸支持部９ｇが形成されている。前記ロータ軸支持部９ｇには下方が開口する凹溝部９ｈが形成されており、該凹溝部９ｈは、カバー体９をハウジング２に固定したとき、小径筒部２ａおよび大径筒部２ｂと同芯状に形成されており、該凹溝部９ｈに、下端部がハウジング２の隔壁Ｄに支持され、ロータユニット５を貫通して上方に突出するロータ軸４の先端部４ａが嵌入するように構成されている。
【００１７】
前記カバー体９は、ステータ３、ロータ軸４、ロータユニット５が組込まれたハウジング２に対して組込まれるように構成されており、筒部９ａ下端部に形成された取付け片部９ｃを、大径筒部２ｂ（ハウジング２）の上端部に形成されたフランジ片部２ｉに突当てて一体化（螺着）することにより、ハウジング２に封止状に固定されるように構成されている。この固定状態において、カバー体９は、ロータ収容部ＲＨを覆蓋することでロータ収容部ＲＨをポンプ室ＰＲに構成しており、該ポンプ室ＰＲにおいて、ロータユニット５は、インペラ部６のボス筒部６ｃ上端面がロータ軸支持部９ｇの下端面に対しワッシャ１０を介して当接する一方、インペラ部６の羽根体６ｂとカバー体９の傾斜状底片９ｂとのあいだに所定の間隙が形成されるように設定されている。
【００１８】
そして、このように構成された液体ポンプ１において、基板８に設けた制御回路を介してステータユニット３に外部電源が供給されると、ステータユニット３のコイル３ｄが励磁することに伴い、ステータユニット３に径方向に近接対向する磁極部７の磁極本体部７ｂが回転し、これによって、ロータユニット５のインペラ部６が回転し、液体がカバー体９に形成される吸入口９ｅから吸入され、吐出口９ｄから吐出されるポンプ作動を行うように構成されている。このとき、吸入口９ｅからポンプ室ＰＲ内に流入した液体は、インペラ部６の羽根体６ｂに押しやられて直接排出口９ｄに至る流路を経由するだけでなく、インペラ部６の外径側からロータ周部ＲＨ側に至り、磁極本体部７ｂと隔壁Ｄ（大径筒部２ｂ、連結片部２ｄ、小径筒部２ａ）とのあいだの流路を経由して、ロータユニット５に開設されるバランスホール５ａを貫通し、インペラ部６の羽根体６ｂ側に至るポンプ室ＰＲ内を循環する流路（循環流路）を経由するものがある。前記循環流路は、インペラ部６のベース片６ａと大径筒部２ｂとのあいだの流路（対向間隔Ｈ３を流路幅とする第三流路Ｆ３）からロータ収容部ＰＨの磁極本体部７ｂ収容側に至り、磁極本体部７ｂの外周面と大径筒部２ｂとのあいだの流路（対向間隔Ｈ４を流路幅とする第四流路Ｆ４）、磁極本体部７ｂの下端面と隔壁Ｄとのあいだの流路（対向間隔Ｈ２を流路幅とする第二流路Ｆ２）、磁極本体部７ｂの内周面と隔壁Ｄとのあいだの流路（対向間隔Ｈ１を流路幅とする第一流路Ｆ１）を経由して、バランスホール５ａを通過し、インペラ部６の羽根体６ｂ側に循環するように構成されている。
【００１９】
そして、本発明が実施された液体ポンプ１では、ポンプ室ＰＲに異物詰まり防止手段が設けられていて、前記循環流路を経由する液体に異物が混入したとしても、異物が幅狭状となる第二流路Ｆ２の手前側部位や、第一、第二流路Ｆ１、Ｆ２内に詰まるようなことが防止されるように構成されている。
まず、第一の異物詰まり防止手段は、磁極部７の外径よりも大径に形成されたインペラ部６のベース片６ａの外周面（外径側端面）とロータ収容部ＲＨ（大径筒部２ｂ）との対向間隔Ｈ３を、磁極本体部７ｂと隔壁Ｄとの対向間隔、即ち、磁極本体部７ｂの内周面と隔壁Ｄとの対向間隔Ｈ１、および、磁極本体部７ｂの基端面と隔壁Ｄとの対向間隔Ｈ２より小さく（Ｈ３＜Ｈ１、Ｈ２）設定することにより構成されている。そして、液体に混入した異物がポンプ室ＰＲ内に流入した場合に、ベース片６ａの外周面と大径筒部２ｂとの対向間隔Ｈ３よりも大きい外形を有した異物が、ロータ収容部ＲＨの磁極本体部７ｂ収容側に入り込むことがなく、これによって、幅狭状の第二流路Ｆ２の手前側に異物が引っ掛かるようなことがないように構成されている。また、仮令、対向間隔Ｈ３よりも小さい異物がロータ収容部ＲＨの磁極本体部７ｂ収容側に入り込んだとしても、異物の大きさ（外形）は、磁極本体部７ｂの外周面と大径筒部２ｂとの対向間隔Ｈ４より小さいことは勿論、磁極本体部７ｂの内周面と隔壁Ｄとの対向間隔Ｈ１、磁極本体部７ｂの基端面と隔壁Ｄとの対向間隔Ｈ２より小さく、もって、異物が混入したとしても液体が第一、第二流路Ｆ１、Ｆ２内を移動することができてインペラ部６の先端側に至る循環流路の流れを損なうことがないばかりでなく、異物がロータ収容部ＲＨの磁極本体部７ｂ収容側から排出されずに第二流路Ｆ２の手前側や、第一、第二流路Ｆ１、Ｆ２内に異物が引っ掛かって堆積して詰まりを生じることを防止できるように構成されている。
因みに、インペラ部６のベース片６ａの外周面と大径筒部２ｂとの対向間はポンプ室ＰＲ内において最小の対向間隔Ｈ３となるが、該対向間隔Ｈ３を流路幅とする第三流路Ｆ３の手前側は、羽根体６ａに対向する広いスペースとなっている。これによって、対向間隔Ｈ３を流路幅とする流路の手前側部位に異物が堆積し難く、異物詰まりを発生するような不具合がないように構成されている。さらに、最小の対向間隔Ｈ３を流路幅とする第三流路Ｆ３は、ベース片６ａの板厚に相当する短い流路長さであり、しかも、第三流路Ｆ３の先側は流路幅の広い第四流路Ｆ４が形成されている。これによって、第三流路Ｆ３内に侵入した異物が堆積し難く、異物詰まりを発生するような不具合がないように構成されている。
【００２０】
つぎに、第二の異物詰まり防止手段は、磁極本体部７ｂの基端部に対向するロータ収容部ＲＨの外径側端部であって、磁極本体部７ｂの基端面に対向する隔壁Ｄ（連結片部２ｄ）と大径筒部２ｂとのコーナー部に、基端側（下方）に向けて凹設された異物トラップ用凹部２ｍをリング状に形成することにより構成されている。そして、磁極本体部７ｂの内周面と隔壁Ｄ（小径筒部２ａ）との対向間隔Ｈ１、および、磁極本体部７ｂの基端面と隔壁Ｄ（連結片部２ｄ）との対向間隔Ｈ２よりも小さい外形の異物がロータ収容部ＲＨの磁極本体部７ｂ収容側に侵入した場合に、異物は液体とともに磁極本体部７ｂと大径筒部２ｂとの広い対向間隔Ｈ４を流路幅とする第四流路Ｆ４から磁極本体部７ｂの下端面と連結片部２ｄとのあいだの第二流路Ｆ２に至るＬ字状の流路に沿って移動するが、このＬ字状部を移動する過程で、異物が混入された液体は下方に向けて凹状となった異物トラップ用凹部２ｍに流れ込むことにより異物トラップ用凹部２ｍ内において渦流を生じ、このとき、異物が異物トラップ用凹部２ｍに捕捉されるように構成されている。これによって、異物がロータ収容部ＲＨの磁極本体部７ｂ収容側に侵入したとしても異物トラップ用凹部２ｍに捕捉されて、幅狭な流路となる第二流路Ｆ２側に異物が流入するのが防止され、もって、第二流路Ｆ２の手前側部位や第二流路Ｆ２内に異物が堆積することによる異物詰まりが一層防止されるように構成されている。
【００２１】
さらに、第三の異物詰まり防止手段は、カバー体９の吸入口９ｅの内周面（内壁）に沿って筒状の磁性材で構成された磁着体１１を一体的に設けることにより構成されている。これによって、ポンプ室ＰＲ内に磁性を有した異物が侵入しようとしたとき、該異物がポンプ室ＰＲ内への入口部である吸入口９ｅの磁着体１１に磁着することにより捕捉することができて、磁性を有した異物のポンプ室ＰＲ内への侵入自体を阻止することができて、異物詰まりが防止されるように構成されている。
【００２２】
尚、本実施の形態では、前述したように複数（三つ）の異物詰まり防止手段が設けられているが、必ずしも全ての異物詰まり防止手段を設ける必要はなく、使用環境によって一つの異物詰まり防止手段、あるいは、何れか二つの異物詰まり防止手段を適宜組み合わせて設けるように構成することもできる。
【００２３】
叙述の如く構成された本形態において、液体ポンプ１は、複数枚のコア材３ａを積層してなるステータコア３ｂにコイル３ｄが巻装されたステータユニット３と、羽根体６ｂを備えたインペラ部６が先端部に形成され、周回り方向複数対の磁極で構成される円筒状の磁極本体部７ｂを備えた磁極部７が基端部に形成されたロータユニット５とを、ステータユニット３を収容するステータ収容部ＳＨとロータユニット５を収容するロータ収容部ＲＨとが筒状部を備えた隔壁Ｄにより仕切り形成されたハウジング３に収容し、前記ロータ収容部ＲＨをカバー体９で覆蓋することによりポンプ室ＰＲが形成されたものとなっている。そして、このものにおいて、ポンプ室ＰＲには異物詰まり防止手段が設けられているので、ロータ収容部ＲＨと磁極本体部７ｂとのあいだに異物が引っ掛かったり、該部位に異物が堆積して詰まりが生じるのが防止され、この結果、ロータユニット５の回転が損なわれてポンプ性能が低下したり、最悪、ロータユニット５が不作動になってしまうような不具合がなく、信頼性の高い液体ポンプ１を提供することができる。
【００２４】
さらに、このものでは、ロータ収容部ＲＨは、ステータ収容部ＳＨの外径側に設けられ、隔壁Ｄと該隔壁Ｄを構成する小径筒部２ａの外径側に配される大径筒部２ｂとによりリング筒状に形成される一方、ロータユニット５のインペラ部６の外径は、磁極部７の外径より大径に形成されたものとなっている。そして、このものにおいて、異物詰まり防止手段は、インペラ部６と大径筒部２ｂとの対向間隔Ｈ３を、磁極本体部７ｂと隔壁Ｄとの対向間隔、詳しくは、磁極本体部７ｂの内周面と隔壁Ｄ（小径筒部２ａ）との対向間隔Ｈ１、および、磁極本体部７ｂの基端面と隔壁Ｄ（連結片部２ｄ）との対向間隔Ｈ２より小さく設定することにより構成されている。この結果、異物が混入した液体がポンプ室内ＰＲに流入し、異物が循環流路に沿って移動しようとした場合に、インペラ部６と大径筒部２ｂとの対向間隔Ｈ３を流路幅とする第三流路Ｆ３を経由することで、対向間隔Ｈ３よりも大きい外形の異物がロータ収容部ＲＨの磁極本体部７ｂ収容側に流れ込むことがない。これによって、異物がポンプ室ＰＲから排出されずポンプ室ＰＲ内の液体の循環を損なうような不具合が解消されるばかりでなく、異物が流路幅の狭い第二流路Ｆ２の手前側や、第一、第二流路Ｆ１、Ｆ２内に引っ掛かって堆積して詰まり状態となることが防止されて、信頼性の高い液体ポンプ１を提供できる。
【００２５】
そして、このものにおいて、インペラ部６は、円板形状のベース片６ａの先端側に羽根体６ｂが一体形成されるように構成されていて、インペラ部６と大径筒部２ｂとの対向間隔Ｈ３は、ベース片６ａの外周面と大径筒部２ｂとの対向間隔Ｈ３で設定されている。この結果、ポンプ室ＰＲ内において最小の流路幅となる第三流路Ｆ３の手前側に広いスペースを確保することができるうえ、第三流路Ｆ３の流路長がベース片６ａの板厚分となって短く、しかも、第三流路Ｆ３の先側が流路幅の広い第四流路Ｆ４となっているため、第三流路Ｆ３の手前側や第三流路Ｆ３内に異物が堆積して異物詰まりを発生することはない。
【００２６】
また、本発明が実施されたものでは、異物詰まり防止手段として、隔壁Ｄ（連結片部２ｄ）と大径筒部２ｂとのコーナー部に、基端側に向けて突出する異物トラップ用凹部２ｍが形成されていて、ロータ収容部ＲＨの磁極本体部７ｂ収容側に異物が侵入したとして、異物の外径は磁極本体部７ｂの内周面と隔壁Ｄ（小径筒部２ａ）との対向間隔Ｈ１、および、磁極本体部７ｂの基端面と隔壁Ｄ（連結片部２ｄ）との対向間隔Ｈ２よりも小さく、そのうえ、液体が磁極本体部７ｂと大径筒部２ｂとの広い対向間隔Ｈ４を流路幅とする第四流路Ｆ４から磁極本体部７ｂの下端面と連結片部２ｄとのあいだの第二流路Ｆ２に至る過程で異物トラップ用凹部２ｍに渦流を生じる状態で流れ込むことにより、異物が異物トラップ用凹部２ｍに捕捉される。この結果、幅狭な流路となる第二流路Ｆ２側に異物が流れ込むことが防止され、第二流路Ｆ２の手前側部位や第二流路Ｆ２内に異物が堆積することによる異物詰まりの発生が一層防止されて耐久性の優れた液体ポンプ１とすることができる。
【００２７】
さらに、このものにおいて、異物詰まり防止手段として、ポンプ室ＰＲの吸入口９ｅの内壁に沿って磁性材からなる磁着体１１が設けられているので、ポンプ室ＰＲ内に磁性を有した異物が侵入しようとしたとき、該異物がポンプ室ＰＲ内への入口部である吸入口９ｅの磁着体１１に磁着して捕捉され、磁性を有した異物がポンプ室ＰＲ内に侵入することがなく、異物の堆積による異物詰まりが防止され、信頼性の高い液体ポンプ１とすることができる。
【産業上の利用可能性】
【００２８】
本発明は、ステータユニットとロータユニットとが、筒状部を備えた隔壁によりステータユニットを収容するステータ収容部とロータユニットを収容するロータ収容部とが仕切り形成されたハウジングに収容される液体ポンプに利用することができる。
【符号の説明】
【００２９】
１  液体ポンプ
２  ハウジング
２ａ  小径筒部
２ｂ  大径筒部
３  ステータ
３ｂ  ステータコア
４  ロータ軸
５  ロータユニット
６  インペラ部
６ａ  ベース片
６ｂ  羽根体
６ｃ  ボス筒部
７  磁極部
７ｂ  磁極本体部
８  基板
８ａ  磁極検知センサ
９  カバー体
９ｄ  吐出口
９ｅ  吸入口
１１  磁着体
【図１】
2012145033.tif 000003
【図２】
2012145033.tif 000004
【図３】
2012145033.tif 000005